(57)【要約】【課題】  複数の受信装置にチャンネル情報をきわめて安価で容易に書き込むことができるチャンネル情報書込システムを提供すること。【解決手段】  チャンネル情報書込システムは、チャンネル情報を書込可能な第１の記憶デバイス２を有する受信装置１０１と、チャンネル情報を書込可能な第２の記憶デバイス９を有する書込治具とを備える。受信装置１０１は、第２の記憶デバイス９を直接制御して、第２の記憶デバイスからチャンネル情報を読み出す読出手段と、読出手段が読み出したチャンネル情報を第１の記憶デバイス２に書き込む書込手段とをさらに有する。書込治具１０２は、読出手段によって読み出されたチャンネル情報を受信装置１０１に送信する送信手段をさらに有する。【選択図】図１
2006270134.tif 000002
【特許請求の範囲】
【請求項１】
チャンネル情報を書込可能な第１の記憶デバイスを有する受信装置と、
該チャンネル情報を書込可能な第２の記憶デバイスを有する書込治具とを備え、
該受信装置が、該第２の記憶デバイスを直接制御して、該第２の記憶デバイスから該チャンネル情報を読み出す読出手段と、
該読出手段が読み出したチャンネル情報を該第１の記憶デバイスに書き込む書込手段とをさらに有する、チャンネル情報書込システム。
【請求項２】
前記読出手段が、前記第１の記憶デバイスに書き込まれたチャンネル情報を読み出し、
前記書込手段が、該第２の記憶デバイスを直接制御して、該読出手段が該第１の記憶デバイスから読み出したチャンネル情報を該第２の記憶デバイスに書き込む、請求項１に記載のチャンネル情報書込システム。
【請求項３】
前記書込治具が、書込要求信号または読出要求信号を生成し前記受信装置に送信する信号生成手段をさらに有し、
前記受信装置が、該書込要求信号または該読出要求信号を受信する信号受信手段をさらに有し、
該信号受信手段が該書込要求信号を受信した場合、前記読出手段が前記第２の記憶デバイスから前記チャンネル情報を読み出して、前記書込手段が前記第１の記憶デバイスに該チャンネル情報を書き込み、
該信号受信手段が該読出要求信号を受信した場合、前記読出手段が該第１の記憶デバイスから該チャンネル情報を読み出して、該書込手段が該第２の記憶デバイスに該チャンネル情報を書き込む、請求項２に記載のチャンネル情報書込システム。
【請求項４】
前記受信装置および前記書込治具がＩ２Ｃ規格に基づいて通信可能であり、
前記読出手段が、前記チャンネル情報を読み出す該第２の記憶デバイスのアドレスを含むＳＤＡを該第２の記憶デバイスに送信し、
該第２の記憶デバイスが、該読出手段から受信したＳＤＡに基づいて、該チャンネル情報を読み出し、かつ、
前記書込手段が、該チャンネル情報を書き込む該第２の記憶デバイスのアドレスと、該チャンネル情報とを含むＳＤＡを該第２の記憶デバイスに送信し、
該第２の記憶デバイスが、該書込手段から受信したＳＤＡに基づいて、該チャンネル情報を書き込む、請求項２または３に記載のチャンネル情報書込システム。
【請求項５】
チャンネル情報を書込可能な第２の記憶デバイスを有する書込治具を接続可能であり、
該チャンネル情報を書込可能な第１の記憶デバイスと、
該第２の記憶デバイスを直接制御して、該第２の記憶デバイスから該チャンネル情報を読み出す読出手段と、
該読出手段が読み出したチャンネル情報を該第１の記憶デバイスに書き込む書込手段とを備える、受信装置。
【請求項６】
前記読出手段が、前記第１の記憶デバイスに書き込まれたチャンネル情報を読み出し、
前記書込手段が、該第２の記憶デバイスを直接制御して、該読出手段が読み出したチャンネル情報を該第２の記憶デバイスに書き込む、請求項５に記載の受信装置。
【発明の詳細な説明】
【技術分野】
【０００１】
本発明は、受信装置にチャンネル情報を書き込むチャンネル情報書込システムに関する。
【背景技術】
【０００２】
従来より、テレビジョン受像機（以下、テレビとする）は、設置する地域によって受信できるチャンネル（周波数）が異なっているので、テレビ毎に周波数等のチャンネル情報を設定する必要がある。ホテルや病院などでは多数のテレビを設置する必要があり、また、ホテルや病院などで有線放送される専用のチャンネルを設定する必要があるので、全てのテレビにこれらのチャンネル情報を設定するのは非常に大変な作業になる。この問題を解決するために、テレビを設置する地域のチャンネル情報をＰＣ（パーソナルコンピュータ）内に予め作成しておき、ＴＶをＰＣに接続して、ＰＣ内のチャンネル情報をＴＶに書き込む方法が採用されている。または、ＰＣ内のチャンネル情報を一旦リモコン送信機に格納して、リモコン信号を使ってＴＶにチャンネル情報を書き込む方法が採用されている。しかし、いずれの方法も、ＰＣ内でチャンネル情報を作成する必要があり、かつ、ＴＶにＰＣを接続する必要があるので、それらの作業が非常に面倒であるという問題を有している。
【０００３】
また、下記特許文献１に、無線送受信機同士を接続し、一方の無線送受信機に書き込まれたチャンネル情報を他方の無線送受信機に転送して、書き込む方法が提案されている。しかし、この方法では、異なる場所に設置されるテレビ同士を接続する必要があるので、接続作業が非常に面倒である。
【０００４】
【特許文献１】特開平６−１８８７７８号公報
【発明の開示】
【発明が解決しようとする課題】
【０００５】
本発明の目的は、複数の受信装置にチャンネル情報をきわめて安価で容易に書き込むことができるチャンネル情報書込システムを提供することである。
【課題を解決するための手段】
【０００６】
本発明の好ましい実施形態によるチャンネル情報書込システムは、チャンネル情報を書込可能な第１の記憶デバイスを有する受信装置と、該チャンネル情報を書込可能な第２の記憶デバイスを有する書込治具とを備える。該受信装置は、該第２の記憶デバイスを直接制御して、該第２の記憶デバイスから該チャンネル情報を読み出す読出手段と、該読出手段が読み出したチャンネル情報を該第１の記憶デバイスに書き込む書込手段とをさらに有する。
【０００７】
書込治具の第２の記憶デバイスに書き込まれたチャンネル情報を読み出して、受信装置の第１の記憶デバイスに書き込むことにより、きわめて容易に受信装置にチャンネル情報を書き込むことができる。すなわち、ＰＣを使う必要も、受信装置同士を接続する必要もない。また、読出手段は、第２の記憶デバイスを直接制御して、第２の記憶デバイスからチャンネル情報を読み出す。ここで、第２の記憶デバイスを直接制御するとは、相手側装置（ここでは、書込治具）の制御手段（マイコン）を介さずに第２の記憶デバイスを制御することである。従って、書込治具には、第２の記憶デバイスを制御するマイコンを設ける必要がなく、非常に簡易な構成にすることができる。さらに、書込治具は、マイコンを設けないことにより、消費される電力をきわめて小さくできる。
【０００８】
好ましい実施形態においては、上記読出手段は、上記第１の記憶デバイスに書き込まれたチャンネル情報を読み出し、上記書込手段は、該第２の記憶デバイスを直接制御して、該読出手段が該第１の記憶デバイスから読み出したチャンネル情報を該第２の記憶デバイスに書き込む。
【０００９】
受信装置の第１の記憶デバイスに書き込まれたチャンネル情報を読み出して、書込治具の第２の記憶デバイスに書き込むことにより、書込治具にチャンネル情報を書き込む作業がきわめて容易になる。つまり、１台の受信装置に作業者がチャンネル情報を従来の方法で書き込んだ後、この受信装置に書込治具を接続し、書込治具にチャンネル情報を送信して書き込む。その後、別の受信装置に書込治具を接続し、書込治具に書き込まれたチャンネル情報を読み出して、受信装置に送信して書き込むことができる。その結果、ＰＣ等でチャンネル情報を生成する必要がない。さらに、書込手段は、第２の記憶デバイスを直接制御して、第２の記憶デバイスにチャンネル情報を書き込む。従って、書込治具にマイコンを設ける必要がなく、書込治具の構成をきわめて簡易にすることができる。
【００１０】
好ましい実施形態においては、上記書込治具は、書込要求信号または読出要求信号を生成し上記受信装置に送信する信号生成手段をさらに有し、上記受信装置は、該書込要求信号または該読出要求信号を受信する信号受信手段をさらに有する。該信号受信装置が該書込要求信号を受信した場合、上記読出手段は上記第２の記憶デバイスから上記チャンネル情報を読み出して、上記書込手段が上記第１の記憶デバイスに該チャンネル情報を書き込む。該信号受信手段が該読出要求信号を受信した場合、上記読出手段は該第１の記憶デバイスから該チャンネル情報を読み出して、該書込手段が該第２の記憶デバイスに該チャンネル情報を書き込む。
【００１１】
書込治具に書き込まれたチャンネル情報を受信装置に書き込む場合に、書込治具が書込要求信号を受信装置に送信する。受信装置が書込要求信号を受信すると、読出手段が第２の記憶デバイスからチャンネル情報を読み出して、書込手段が第１の記憶デバイスにチャンネル情報を書き込む。受信装置に書き込まれたチャンネル情報を書込治具に書き込む場合に、書込治具が読出要求信号を受信装置に送信する。受信装置が読出要求信号を受信すると、読出手段が第１の記憶デバイスからチャンネル情報を読み出して、書込手段が第２の記憶デバイスにチャンネル情報を書き込む。これにより、作業者が書込治具を操作することによって、受信装置と書込治具との間でチャンネル情報の読み出しおよび書き込みを実行できるので、作業者の作業が非常に容易になる。また、書込治具に信号生成手段を設けているので、複数の受信装置に信号生成手段を設ける必要がなく、コストを安価にするとができる。また、書込治具からの信号によって受信装置が書き込みおよび読み出しを実行するので、例えば、利用者が受信装置の視聴時に受信装置の他の操作と間違ってチャンネル情報の書き込みまたは読み出しが実行されることはない。
【００１２】
好ましい実施形態においては、上記受信装置および前記書込治具がＩ２Ｃ規格に基づいて通信可能である。上記読出手段は、上記チャンネル情報を読み出す該第２の記憶デバイスのアドレスを含むＳＤＡを該第２の記憶デバイスに送信し、該第２の記憶デバイスが、該読出手段から受信したＳＤＡに基づいて、該チャンネル情報を読み出す。上記書込手段は、該チャンネル情報を書き込む該第２の記憶デバイスのアドレスと、該チャンネル情報とを含むＳＤＡを該第２の記憶デバイスに送信し、該第２の記憶デバイスが、該書込手段から受信したＳＤＡに基づいて、該チャンネル情報を書き込む。
【００１３】
Ｉ２Ｃ規格に基づいて受信装置と第２の記憶デバイスとが通信するので、非常に簡単な構成で受信装置が第２の記憶デバイスを直接制御できる。書込治具に書き込まれたチャンネル情報を受信装置に書き込む場合に、読出手段がアドレスを含むＳＤＡを第２の記憶デバイスに送信すると、第２の記憶デバイスはＳＤＡで特定されたアドレスからチャンネル情報を読み出すことができる。一方、受信装置に書き込まれたチャンネル情報を書込治具に書き込む場合に、書込手段がアドレスおよびチャンネル情報を含むＳＤＡを第２の記憶デバイスに送信すると、第２の記憶デバイスはＳＤＡで特定されたアドレスにチャンネル情報を書き込むことができる。
【００１４】
本発明の別の局面においては、受信装置が提供され得る。この受信装置は、チャンネル情報を書込可能な第２の記憶デバイスを有する書込治具を接続可能であり、該チャンネル情報を書込可能な第１の記憶デバイスと、該第２の記憶デバイスを直接制御して、該第２の記憶デバイスから該チャンネル情報を読み出す読出手段と、該読出手段が読み出したチャンネル情報を該第１の記憶デバイスに書き込む書込手段とを備える。
【００１５】
好ましい実施形態においては、上記読出手段は、上記第１の記憶デバイスに書き込まれたチャンネル情報を読み出し、上記書込手段は、該第２の記憶デバイスを直接制御して、該読出手段が読み出したチャンネル情報を該第２の記憶デバイスに書き込む。
【発明の効果】
【００１６】
本発明によると、１台の受信装置に書き込まれたチャンネル情報を書込治具に書き込み、他の複数の受信装置に書込治具に書き込まれたチャンネル情報を書き込むことにより、きわめて容易に複数の受信装置にチャンネル情報を書き込むことができる。
【発明を実施するための最良の形態】
【００１７】
以下、本発明の好ましい実施形態について、図面を参照して具体的に説明するが、本発明はこれらの実施形態には限定されない。図１は、本発明の好ましい実施形態によるチャンネル情報書込システム１００を示す概略図である。チャンネル情報書込システム１００は、複数の受信装置１０１（本例では、２台のテレビジョン受像機１０１Ａ、１０１Ｂ）および書込治具１０２を備える。受信装置１０１Ａ、１０１Ｂは、従来の方法でチャンネル情報（周波数など）を書き込むことができ、また、書込治具１０２を使ってチャンネル情報を自動的に書き込むこともできる。すなわち、操作者は、受信装置１０１Ａに書込治具１０２を使用せずにオートサーチまたはマニュアル設定等の従来の方法を用いてチャンネル情報を書き込む（フラッシュメモリ２にチャンネル情報を書き込む）。次に、受信装置１０１Ａと書込治具１０２とをケーブルを介して接続し、受信装置１０１Ａに書き込まれているチャンネル情報を書込治具１０２（ＥＥＰＲＯＭ９）に送信し書き込む。次に、書込治具１０２を受信装置１０１Ｂにケーブルを介して接続し、書込治具１０２（ＥＥＰＲＯＭ９）に書き込まれているチャンネル情報を受信装置１０１Ｂ（フラッシュメモリ２）に送信し書き込む。これにより、操作者は１台の受信装置１０１Ａのみにチャンネル情報を従来の方法で書き込めば、他の複数台の受信装置（例えば、１０１Ｂ）には書込治具１０２からチャンネル情報を自動的に書き込むことができる。
【００１８】
受信装置１０１（１０１Ａおよび１０１Ｂ）は、第１の記憶デバイス２、制御手段３、第１の接続手段４、受信手段５、映像再生手段６、音声再生手段７および電源回路８を備える。
【００１９】
第１の記憶デバイス２は、代表的にはフラッシュメモリ（またはＥＥＰＲＯＭ）等の不揮発性メモリであり、受信手段５が受信するテレビジョン信号に関するチャンネル情報が書き込まれ、書き込まれたチャンネル情報を記憶する。フラッシュメモリ２には、表１に示すチャンネル情報テーブルが格納され、当該チャンネル情報テーブルにチャンネル情報が書き込まれる。
【表１】
2006270134.tif 000003
【００２０】
チャンネル情報は、受信手段５がテレビジョン信号（映像信号および音声信号）を受信して映像再生手段６および音声再生手段７が映像および音声を再生するために必要な情報である。チャンネル情報は、代表的には、チャンネル番号と、受信周波数と、チャンネル表示番号と、調整周波数と、スキップの有無と、有料チャンネルか否かの情報とを含む。チャンネル番号は、チャンネル毎に付与される番号である。受信周波数は、当該チャネルのテレビジョン信号を受信するための周波数である。チャンネル表示番号は、受信装置１０１および受信装置１０１のリモコン送信機などに表示される番号である。調整周波数は、受信装置が配置される場所によって、受信周波数を微調整する量を表す。スキップは、受信装置が当該チャンネルを再生可能にするか否かを表す。つまり、スキップが「有」とされたチャンネルは、操作者によって選択されないように受信装置１０１が設定される。有料は、有料チャンネルか否かを示す。有料チャンネルのテレビジョン信号は、利用者によって料金が支払われたときのみ再生可能である。本例では、表１に記載の全てのチャンネル情報がフラッシュメモリ２内のチャンネル情報テーブルに書き込まれるが、チャンネル番号のみをチャンネル情報テーブルに書き込んでもよい。この場合、チャンネル番号とその他のチャンネル情報とを対応付けるテーブルを受信装置１０１が例えばＲＯＭ内に有している。
【００２１】
制御手段３は、代表的にはマイコン（マイクロコンピュータ）であり、内蔵するＲＯＭ（図示せず）内に格納されたプログラムを実行することにより、受信装置１０１の各部を制御する。マイコン３は、書込読出部（書込手段および読出手段としての機能を含む）３ａを含み、フラッシュメモリ２および書込治具１０２のＥＥＰＲＯＭ９にアクセスする。つまり、書込読出部３ａは、フラッシュメモリ２からチャンネル情報を読み出し、ＥＥＰＲＯＭ９にチャンネル情報を書き込む。また、書込読出部３ａは、書込治具１０２のＥＥＰＲＯＭ９からチャンネル情報を読み出し、読み出したチャンネル情報をフラッシュメモリ２に書き込む。言い換えると、書込読出部３ａは、書込治具１０２のＥＥＰＲＯＭ９を直接制御する。ここで、直接制御するとは、相手装置のマイコンを介さずに、相手装置のデバイス自体を制御することをいう。より具体的には、書込読出部３ａは、Ｉ２Ｃ（Ｉｎｔｅｒ  Ｉｎｔｅｇｒａｔｅｄ  Ｃｉｒｃｕｉｔ）規格に基づいて書込治具１０２のＥＥＰＲＯＭ９と通信する。Ｉ２Ｃは、２本の信号線ＳＤＡ（Ｓｉｒｉａｌ  ＤＡｔａ）およびＳＣＬ（Ｓｅｒｉａｌ  ＣＬｏｃｋ）によって通信するシリアルインターフェースである。
【００２２】
図２は、本例に用いられるＳＤＡのデータ構造を示す概略図である。（ａ）は、書込読出部３ａが、ＥＥＰＲＯＭ９にチャンネル情報を書き込む際に、ＥＥＰＲＯＭ９に送信するＳＤＡである。このＳＤＡは、アドレス２０１、制御内容（読出（Ｒ）／書込（Ｗ））２０２、およびチャンネル情報のデータ本体２０３を含む。アドレス２０１は、チャンネル情報を書き込むＥＥＰＲＯＭ９のアドレスを示す。制御内容２０２は、その値が「０」であるときＥＥＰＲＯＭ９にチャンネル情報を書き込むことを示し、その値が「１」であるときＥＥＰＲＯＭ９からチャンネル情報を読み出すことを示す。（ａ）の場合、制御内容２０２は、値が「０」になっている。データ本体２０３は、フラッシュメモリ２から読み出したチャンネル情報であり、例えば７ビットのデータとして表されている。一方、（ｂ）は、書込読出部３ａが、ＥＥＰＲＯＭ９からチャンネル情報を読み出す際に、ＥＥＰＲＯＭ９に送信するＳＤＡである。アドレス２０１は、チャンネル情報を読み出すＥＥＰＲＯＭ９のアドレスを示す。制御内容２０２は、この場合、その値がチャンネル情報を読み出すことを示す「１」になっている。
【００２３】
マイコン３は、複数の入力（および／または出力）端子（３Ａ〜３Ｆ）を含む。端子３Ａは、書込治具１０２からＲｅａｄｙ（準備）信号が入力される端子である。Ｒｅａｄｙ信号は、マイコン３がＲｅａｄ信号またはＷｒｉｔｅ信号を受信待ちの状態になる信号である。端子３Ｂは、書込治具１０２からＲｅａｄ（読出要求）信号が入力される端子である。Ｒｅａｄ信号は、マイコン３がフラッシュメモリ２からチャンネル情報を読み出して、書込治具１０２への書き込みを開始するトリガとなる信号である。端子３Ｃは、書込治具１０２からＷｒｉｔｅ（書込要求）信号が入力される端子である。Ｗｒｉｔｅ信号は、マイコン３が書込治具１０２からチャンネル情報を読み出して、フラッシュメモリ２への書き込みを開始するトリガとなる信号である。端子３Ｄは、書込治具１０２のＬＥＤ１２を発光させるための電圧を出力する端子である。端子３Ｅは、書込治具１０２のＥＥＰＲＯＭ９との間でＳＤＡ（すなわち、チャンネル情報）を送受信する端子である。端子３Ｆは、書込治具１０２のＥＥＰＲＯＭ９にＳＣＬを出力する端子である。
【００２４】
第１の接続手段４は、書込治具１０２の第２の接続手段１０に接続され、各種信号および電圧が入出力される。第１の接続手段４は、代表的にはコネクタであり、複数の入力（および／または出力）端子４Ａ〜４Ｆを含む。Ｒｅａｄｙ端子４Ａは、書込治具１０２からのＲｅａｄｙ信号を端子３Ａに与える。Ｒｅａｄｙ端子４Ａは、抵抗Ｒ１を介して端子３Ａに接続され、抵抗Ｒ２を介して電源回路８に接続されている。Ｒｅａｄ端子４Ｂは、書込治具１０２からのＲｅａｄ信号を端子３Ｂに与える。Ｒｅａｄ端子４Ｂは、抵抗Ｒ３を介して端子３Ｂに接続され、抵抗Ｒ４を介して電源回路８に接続されている。Ｗｒｉｔｅ端子４Ｃは、書込治具１０２からのＷｒｉｔｅ信号を端子３Ｃに与える。Ｗｒｉｔｅ端子４Ｃは、抵抗Ｒ５を介して端子３Ｃに接続され、抵抗Ｒ６を介して電源回路８に接続されている。上記の通り、端子４Ａ〜４Ｃおよび端子３Ａ〜３Ｃは、Ｒｅａｄｙ信号、Ｒｅａｄ信号およびＷｒｉｔｅ信号を受信する信号受信手段としての機能を有する。
【００２５】
ＬＥＤ端子４Ｄは、端子３Ｄに接続され、書込治具１０２のＬＥＤ１２を発光させる電圧を出力する端子である。ＳＤＡ端子４Ｅは、書込治具１０２との間でＳＤＡ（チャンネル情報）を送受信する端子である。ＳＤＡ端子４Ｅは、抵抗Ｒ７を介して端子３Ｅに接続され、抵抗Ｒ８を介して電源回路８に接続されている。ＳＣＬ端子４Ｆは、書込治具３にＳＣＬを出力する端子である。ＳＣＬ端子４Ｆは、抵抗Ｒ９を介して端子３Ｆに接続され、抵抗Ｒ１０を介して電源回路８に接続されている。Ｖｃｃ端子４Ｇは、電源回路８に接続され、書込治具１０２に電圧を供給する端子である。Ｖｓｓ端子４Ｈは、接地電位ＧＮＤに接続されている。
【００２６】
受信手段５は、マイコン３によって制御され、フラッシュメモリ２に書き込まれたチャンネル情報に基づいてテレビジョン信号を受信する。受信手段５は、受信したテレビジョン信号のうち、映像信号を映像再生手段６に与え、音声信号を音声再生手段７に与える。映像再生手段６は、受信手段５から映像信号を受けて映像信号を再生する。映像再生手段６は、図示しない映像信号処理回路、およびブラウン管や液晶パネル等の表示部等を含む。表示部は、さらに、マイコン３からの指示に基づいて「読出中」、「書込中」、「読出完了」、「書込完了」または「設定入力待ち」等を表示する。音声再生手段７は、受信手段５から音声信号を受けて音声信号を再生する。音声再生手段７は、図示しない音声信号処理回路およびスピーカー等を含む。
【００２７】
電源回路８は、商用交流電源電圧が入力され、当該電圧を整流および平滑して、受信装置１０１の各部に供給する。また、電源回路８は、Ｖｃｃ端子４Ｇを介して、書込治具１０２のＥＥＰＲＯＭ９およびＬＥＤ１３に電圧を供給する。
【００２８】
書込治具１０２は、第２の記憶デバイス９、第２の接続手段１０および信号生成手段１１を備える。書込治具１０２は、自身の各部を制御するマイコンを有しておらず、受信装置１０１に接続されることにより、受信装置１０１のマイコン３によって各部が制御される。
【００２９】
第２の記憶デバイス９は、代表的にはＥＥＰＲＯＭ等の不揮発性メモリであり、受信装置１０１のマイコン３によって、マイコン３から受信したチャンネル情報を書き込むよう制御される（受信手段）。ＥＥＰＲＯＭ９は、書き込んだチャンネル情報を記憶する。また、ＥＥＰＲＯＭ９は、マイコン３によって、チャンネル情報を読み出して受信装置１０１に送信するよう制御される（送信手段）。具体的には、ＥＥＰＲＯＭ９は、マイコン３から受信したＳＤＡのアドレス２０１および制御内容２０２に基づいて、チャンネル情報を書き込んだり、チャンネル情報を読み出したりする。ＥＥＰＲＯＭ９は、表１に模式的に示すチャンネル情報テーブルを有し、チャンネル情報テーブルにチャンネル情報を書き込む。具体的には、チャンネル情報の各情報が、例えば７ビットのデータとして記憶される。チャンネル情報テーブルのアドレスは、ＳＤＡのアドレスで特定される。
【００３０】
ＥＥＰＲＯＭ９は、複数の入力（および／または出力）端子９Ａ〜９Ｈを含む。ＳＤＡ端子９Ａは、マイコン３との間でＳＤＡを送受信する端子である。ＳＣＬ端子９Ｂは、マイコン３からのＳＣＬを入力する端子である。ＶＣＣ端子９Ｃは、電源回路８からの電圧をＥＥＰＲＯＭ９に入力する端子である。Ｅ０端子９Ｄ、Ｅ１端子９Ｅ、Ｅ２端子９Ｆ、Ｖｓｓ端子９ＧおよびＷｃ端子９Ｈは、接地電位ＧＮＤに接続される。
【００３１】
第２の接続手段１０は、受信装置１０１の第１の接続手段４に接続され、各種信号および電圧が入出力される。第２の接続手段１０は、代表的にはコネクタであり、第１の接続手段４の各端子に対応する複数の入力（および／または出力）端子１０Ａ〜１０Ｆを含む。各端子１０Ａ〜１０Ｆは、チャンネル情報の読出時または書込時に、第１の接続手段４の対応する各端子４Ａ〜４Ｆにケーブルを介して接続される。第２の接続手段１０は、Ｒｅａｄｙ端子１０Ａ、Ｒｅａｄ端子１０Ｂ、Ｗｒｉｔｅ端子１０Ｃ、ＬＥＤ端子１０Ｄ、ＳＤＡ端子１０Ｅ、ＳＣＬ端子１０Ｆ、Ｖｃｃ端子１０ＧおよびＶｓｓ端子１０Ｈを含む。ＳＤＡ端子１０Ｅは、受信装置１０１との間でＳＤＡが入出力される。ＳＤＡ端子１０Ｅは、抵抗Ｒ１１を介してＥＥＰＲＯＭ９のＳＤＡ端子９Ａに接続されている。ＳＣＬ端子１０Ｆは、受信装置１０１からＳＣＬが入力される。ＳＣＬ端子１０Ｆは、抵抗Ｒ１２を介してＥＥＰＲＯＭ９のＳＣＬ端子９Ｂに接続されている。
【００３２】
ＬＥＤ端子１０Ｄには、抵抗Ｒ１３を介してＬＥＤ（動作完了報知部）１２が接続されている。ＬＥＤ１２は、マイコン３のＬＥＤ端子３Ｄから所定の電圧がＬＥＤ端子４Ｄ、１０Ｄを介して与えられ、発光することにより、例えば、受信装置１０１に書込治具１０２に書き込まれているチャンネル情報を書き込み完了したこと、または、受信装置１０１に書き込まれているチャンネル情報を書込治具１０２に書き込み完了したことを操作者に報知する。
【００３３】
Ｖｃｃ端子１０Ｇは、ＥＥＰＲＯＭ９のＶｃｃ端子に接続され、かつ、抵抗Ｒ１４を介してＬＥＤ（電源報知部）１３に接続されている。ＬＥＤ１３は、書込治具１０２が受信装置１０１に接続されると、電源回路８から電圧がＶｃｃ端子４Ｇ、１０Ｇを介して与えられ、発光することにより、書込治具１０２が動作可能な状態であることを操作者に報知する。なお、コンデンサＣ４はノイズ除去のために設けられている。
【００３４】
信号生成手段１１は、操作者の操作に基づいて、書込治具１０２から受信装置１０１へのチャンネル情報の書き込み、または受信装置１０１から書込治具１０２へのチャンネル情報の書き込みを開始させるための信号を生成し、マイコン３に送信する。信号生成手段１１は、Ｒｅａｄｙ信号を生成してマイコン３の端子３Ａに送信するＲｅａｄｙスイッチ（Ｒｅａｄｙ信号生成部）１１Ａ、Ｒｅａｄ信号を生成してマイコン３の端子３Ｂに送信するＲｅａｄスイッチ（Ｒｅａｄ信号生成部）１１Ｂ、およびＷｒｉｔｅ信号を生成してマイコン３の端子３Ｃに送信するＷｒｉｔｅスイッチ（Ｗｒｉｔｅ信号生成部）１１Ｃを含む。Ｒｅａｄｙスイッチ１１Ａは、一端がＲｅａｄｙ端子１０Ａに接続され、他端がグランド電位ＧＮＤに接続されている。Ｒｅａｄ端子１１Ｂは、一端がＲｅａｄ端子１０Ｂに接続され、他端がグランド電位ＧＮＤに接続されている。Ｗｒｉｔｅスイッチ１１Ｃは、一端がＷｒｉｔｅ端子１０Ｃに接続され、他端がグランド電位ＧＮＤに接続されている。なお、コンデンサＣ１〜Ｃ３はノイズ除去用のコンデンサである。
【００３５】
マイコン３は、Ｒｅａｄｙスイッチ１１Ａがオフ状態のときは、端子３Ａに電源回路８からの電圧（ハイレベル）が入力されるので、Ｒｅａｄｙ信号が入力されていないと判断する。一方、Ｒｅａｄｙスイッチ１１Ａがオン状態になると、マイコン３の端子３Ａは、Ｒｅａｄｙ端子４Ａ、１０ＡおよびＲｅａｄｙスイッチ１１Ａを介してグランド電位ＧＮＤに接続されて、ローレベルの信号が入力される。従って、マイコン３は、Ｒｅａｄｙ信号（ローレベルの信号）が入力されていると判断する。Ｒｅａｄスイッチ１１ＢおよびＷｒｉｔｅスイッチ１１Ｃの場合も同様に、オフ状態のときはマイコン３の端子３Ｂおよび３Ｃに電源回路８からの電圧（ハイレベル）が与えられ、Ｒｅａｄ信号またはＷｒｉｔｅ信号が入力されていないと判断する。一方、これらのスイッチがオン状態のときには、マイコン３の端子３Ｂまたは３Ｃはグランド電位ＧＮＤに接続され、ローレベルの信号が与えられるので、マイコン３はＲｅａｄ信号またはＷｒｉｔｅ信号が入力されていると判断する。
【００３６】
以上の構成を有するチャンネル情報書込システム１００について、その動作を図１および図３を参照して説明する。図３は、マイコン３の処理を説明するフロー図である。まず、受信装置１０１Ａに書き込まれたチャンネル情報を書込治具１０２に書き込む処理を説明する。受信装置１０１Ａに書込治具１０２が接続され、作業者の操作によってＲｅａｄｙスイッチ１１Ａがオン状態になると、マイコン３の端子３ＡにＲｅａｄｙ信号であるローレベルの信号が入力される（Ｓ３０１：ＹＥＳ）。そのため、マイコン３は、Ｒｅａｄ信号またはＷｒｉｔｅ信号を入力待ちの状態になる（Ｓ３０２、Ｓ３０３）。このとき、受信装置１０１Ａの表示部には「設定入力待ち」が表示される。操作者の操作によって、Ｒｅａｄスイッチ１１Ｂがオン状態になると、マイコン３の端子３ＢにＲｅａｄ信号であるローレベルの信号が入力される（Ｓ３０２：ＹＥＳ）。マイコン３は、Ｒｅａｄ信号に応答して、フラッシュメモリ２からチャンネル情報を読み出す（Ｓ３０４）。このとき、受信装置１０１Ａの表示部には「読出中」が表示される。そして、マイコン３は、読み出したチャンネル情報に基づいてＳＤＡおよびＳＣＬを生成し、端子３Ｅおよび３Ｆを介して書込治具１０２のＥＥＰＲＯＭ９に送信する（Ｓ３０５）。書込治具３のＥＥＰＲＯＭ９は、マイコン３から受信したＳＤＡおよびＳＣＬに基づいて、チャンネル情報を書き込む。具体的には、ＥＥＰＲＯＭ９は、ＳＣＬがハイレベルの時にＳＤＡを読み込んで、アドレス２０１に示すアドレスにデータ本体２０３のチャンネル情報を書き込む。ＥＥＰＲＯＭ９は、全てのＳＤＡを受信してチャンネル情報を書込終了すると、ＡＣＫ（完了通知）をＳＤＡとしてマイコン３に返信する。マイコン３は、ＡＣＫを受信すると、端子３ＤからＬＥＤ１２を発光させるための電圧を出力し（Ｓ３０８）、ＬＥＤ１２はこの信号に基づいて発光することにより、書込治具１０２に書込終了したことを作業者に報知する。このとき、受信装置１０１Ａの表示部には「読出完了」が表示される。
【００３７】
次に、書込治具１０２に書き込まれたチャンネル情報を、受信装置１０１Ｂに書き込む処理を説明する。受信装置１０１Ｂに書込治具１０２が接続され、操作者の操作によってＲｅａｄｙスイッチ１１Ａがオン状態になると、マイコン３の端子３ＡにＲｅａｄｙ信号であるローレベルの信号が入力される（Ｓ３０１：ＹＥＳ）。このとき、受信装置１０１Ａの表示部には「設定入力待ち」が表示される。操作者の操作によって、Ｗｒｉｔｅスイッチ１１Ｃがオン状態になると、マイコン３の端子３ＣにＷｒｉｔｅ信号であるローレベルの信号が入力される（Ｓ３０３：ＹＥＳ）。マイコン３はＷｒｉｔｅ信号に応答して、ＳＤＡおよびＳＣＬを生成し、端子３Ｅおよび３Ｆから、書込治具１０２のＥＥＰＲＯＭ９に送信する（Ｓ３０６）。書込治具１０２のＥＥＰＲＯＭ９は、マイコン３から受信したＳＤＡおよびＳＣＬに基づいてチャンネル情報を読み出す。具体的には、ＳＣＬがハイレベルの時にＳＤＡを読み込んで、アドレス２０１に示すアドレスからチャンネル情報を読み出して、７ビットのデータ本体を含むＳＤＡとして、マイコン３に送信する。マイコン３は、ＥＥＰＲＯＭ９からＳＤＡを受信すると、チャンネル情報をフラッシュメモリ２に書き込む（Ｓ３０７）。このとき、受信装置１０１Ａの表示部には「書込中」が表示される。マイコン３は、フラッシュメモリ２への書き込みを終了すると、端子３ＤからＬＥＤ１２を発光させるための電圧を出力し（Ｓ３０８）、ＬＥＤ１２はこの電圧に基づいて発光することにより、受信装置１０１Ｂにチャンネル情報を書き込みを終了したことを作業者に報知する。このとき、受信装置１０１Ａの表示部には「書込完了」が表示される。
【００３８】
以上のように、１台の受信装置１０１Ａにチャンネル情報を従来の方法で書き込めば、書込治具１０２にその設定したチャンネル情報を書き込んで、別の受信装置１０１Ｂに書込治具１０２に書き込まれたチャンネル情報を自動的に書き込ませることができる。しかも、書込治具１０２は受信装置１０１とＩ２Ｃで通信するので、書込治具１０２にマイコンを設ける必要がなく、書込治具をきわめて安価で簡易な構成にすることができる。
【００３９】
以上、本発明の好ましい実施形態を説明したが、本発明はこれらの実施形態には限定されない。例えば、書込治具１０２に複数の第２の接続手段を並列に設けることにより、書込治具１０２を同時に複数の受信装置１０１に接続し、同時に複数の受信装置１０１にチャンネル情報を書き込むことができる。また、チャンネル情報は、ＢＡＮＤ情報や発信周波数等が含まれていてもよい。また、本発明は、上記の受信装置の動作をコンピュータに実行させるためのコンピュータプログラムという形態で提供することもできる。
【産業上の利用可能性】
【００４０】
本発明は、テレビジョン受像機またはラジオ受信機などのチャンネル情報を設定する必要がある電気機器に好適に採用され得る。
【図面の簡単な説明】
【００４１】
【図１】チャンネル情報書込システム１００を示す概略図である。
【図２】ＳＤＡのデータ構造を示す概略図である。
【図３】マイコン３の処理を示すフローチャートである。
【符号の説明】
【００４２】
２              第１の記憶デバイス
３              書込手段、読出手段
９              第２の記憶デバイス
１００          チャンネル情報書込システム
１０１          受信装置
１０２          書込治具
【図１】
2006270134.tif 000004
【図２】
2006270134.tif 000005
【図３】
2006270134.tif 000006